(57)【特許請求の範囲】
【請求項１】
記録済み追記型テストディスクを用いて追記型光ディスク装置の検査を行う検査方法において、
前記記録済み追記型テストディスクには、
検査対象の追記型光ディスク装置とは異なる追記型光ディスク装置によって、ユーザデータ領域の全てが埋まるようにテストデータが記録され、且つ、該テストデータに続いて、追記の可否を示す情報を含むファイルクローズデータが記録されており、
検査対象の追記型光ディスク装置が当該記録済み追記型テストディスクからテストデータを適正に再生できるか、および、前記ファイルクローズデータを適正に認識できるかを検証することにより、当該追記型光ディスク装置の再生動作を検査する、
ことを特徴とするドライブ検査方法。
【請求項２】
請求項１において、
前記テストデータを適正に再生できるかの検証は、前記テストデータを最終記録位置近傍の一定範囲において再生し、再生したテストデータが当該記録済み追記型テストディスクに記録されているべきテストデータに一致するかを照合することによって行われる、
ことを特徴とするドライブ検査方法。
【請求項３】
請求項１または２において、
前記記録済み追記型テストディスクには、検査対象の追記型光ディスク装置とは異なる追記型光ディスク装置によって、追記の不可を示す情報を含む前記ファイルクローズデータが記録されており、
前記ファイルクローズデータを適正に認識できるかの検証は、前記ファイルクローズデータが追記不可であることを示す情報を、当該追記型光ディスク装置が適正に認識できるかによって行われる、
ことを特徴とするドライブ検査方法。
【請求項４】
請求項１ないし３の何れか一項において、
前記記録済み追記型テストディスクには、検査対象の追記型光ディスク装置とは異なる追記型光ディスク装置によって、ディスク最内周位置に、記録層をディスク円周方向に沿って間欠的に消失させて情報を保持するバースト領域が配され、さらに当該バースト領域と前記ユーザデータ領域の間に、螺旋状トラックに沿ってピット列を配置することにより情報を保持するシステムリードイン領域が配されており、
検査対象の追記型光ディスク装置が当該記録済み追記型テストディスクから、前記システムリードイン領域に記録されている情報を適正に再生できるかを検証することにより、当該追記型光ディスク装置の再生動作を検査する、
ことを特徴とするドライブ検査方法。
【請求項５】
記録済み追記型テストディスクを用いて追記型光ディスク装置の検査を行う検査方法において、
前記記録済み追記型テストディスクには、
検査対象の追記型光ディスク装置とは異なる追記型光ディスク装置によって、
記録状態を管理する情報（RMD）を記録するための記録管理ゾーン（RMZ）が、データリードイン領域と、セッションの区切り位置にあるボーダ領域と、ユーザデータを記録するユーザデータ領域にそれぞれ設定され、
前記管理情報（RMD）が、前記データリードイン領域、ボーダ領域およびユーザデータ領域に設定された記録管理ゾーン（L-RMZ、B-RMZ、U-RMZ）に、更新前の管理情報（RMD）と更新後の管理情報（RMD）間のリンクを保ちつつ、ユーザデータの記録に応じて更新されて記録され、さらに、
最後に更新された前記管理情報（RMD）の位置を特定する情報が前記データリードイン領域内の対応するゾーンに記録されており、
検査対象の追記型光ディスク装置が当該記録済み追記型テストディスクから最新の管理情報（RMD）を適正に再生できるかを検証することにより、当該追記型光ディスク装置の再生動作を検査する、
ことを特徴とするドライブ検査方法。
【請求項６】
請求項５において、
前記記録済み追記型テストディスクには、検査対象の追記型光ディスク装置とは異なる追記型光ディスク装置によって、記録レーザパワー設定の際に試し書きを行うためのテストゾーンが、記録初期段階に通常設定されるゾーンの他に、別途拡張されて設定され、且つ、前記テストゾーンが拡張されていることを示す情報が、少なくとも最後に更新された前記管理情報（RMD）に含まれており、
検査対象の追記型光ディスク装置が当該記録済み追記型テストディスクにおいて前記テストゾーンが拡張されていることを認識できるかを検証することにより、当該追記型光ディスク装置の再生動作を検査する、
ことを特徴とするドライブ検査方法。
【請求項７】
請求項６において、
前記記録済み追記型テストディスクには、検査対象の追記型光ディスク装置とは異なる追記型光ディスク装置によって、ユーザデータの未記録の領域が残されており、
前記テストゾーンが拡張されていることを認識できるかの検証は、この未記録の領域の容量を当該追記型光ディスク装置が適正に認識できるかによって行われる、
ことを特徴とするドライブ検査方法。
【請求項８】
請求項５ないし７の何れか一項において、
前記記録済み追記型テストディスクには、検査対象の追記型光ディスク装置とは異なる追記型光ディスク装置によって、最終のユーザデータ記録位置に続いてボーダ領域が設定され、且つ、このボーダ領域に、さらなるユーザデータの追記が可能であることを示す情報が記録されており、
検査対象の追記型光ディスク装置が、前記ボーダ領域に記録されている情報をもとに、当該記録済み追記型テストディスクが追記可能であることを認識できるかを検証することにより、当該追記型光ディスク装置の再生動作を検査する、
ことを特徴とするドライブ検査方法。
【請求項９】
追記型光ディスク装置の検査を行う検査方法において、
３枚のディスクを用いて検査を行い、
前記３枚のディスクのうち１枚は未記録の追記型光ディスクであり、
この追記型光ディスクに対しターゲットドライブで記録を行う記録工程と、
前記記録工程にて記録された前記追記型光ディスクの記録状態を検査する第１の検査工程と、
前記３枚のディスクのうち１枚はターゲットドライブとは異なるドライブによって記録された、追記不可能な記録済み追記型光ディスクであり、
前記追記不可能な追記型光ディスクをターゲットドライブにて再生し、再生された情報をもとにターゲットドライブの再生動作を検査する第２の検査工程と、
前記３枚のディスクのうち１枚はターゲットドライブとは異なるドライブによって記録された、追記可能な記録済み追記型光ディスクであり、
前記追記可能な追記型光ディスクをターゲットドライブにて再生し、再生された情報をもとにターゲットドライブの再生動作を検査する第３の検査工程と、
を有することを特徴とするドライブ検査方法。
【発明の詳細な説明】
【技術分野】
【０００１】
本発明は、ドライブ検査方法に関し、特に、追記型光ディスクドライブの動作検証を行う際に用いて好適なものである。
【背景技術】
【０００２】
現在、追記型光ディスクとして、青色波長（波長４０５ｎｍ程度）のレーザ光を用いたＨＤＤＶＤ（High Differential Digital Versatile Disc）の規格化が進められている。
【０００３】
ＨＤＤＶＤ規格では、再生専用のＲＯＭ（Read Only Memory）規格、書き換え型のＲＷ（ReWritable）規格、追記型のＲ（Recordable）規格があり、ディスクのエリアフォーマットや管理情報の種類などが異なっている。また、ＨＤＤＶＤ規格では、再生時にディスク情報の読み出しが容易なように、ディスク種別や、準拠しているブック情報などの情報を複数箇所に保存するようにしている。なお、この規格では、ディスクフォーマットは規定されているが、規定されたフォーマット情報をドライブで用いる場合に、どこの情報を読み出してドライブ動作に作用させるかといったドライブ動作の規定はなされていない。
【０００４】
この追記型ＨＤＤＶＤでは、セッションの区切りのためにボーダ（Border）を設定することができる。ＨＤＤＶＤにおけるボーダは、ＤＶＤと同様、ボーダ・アウトとボーダ・インに区別される。このうち、ボーダ・アウトには、ＤＶＤと異なり、更なる追記の可否を示す情報を記録することができる。なお、セッションのファイナライズは、ボーダ・アウトに追記不可を示す情報を記録して行うことができる。この他、ターミネータ（Terminator）を設定することによって、セッションをファイナライズすることもできる。
【０００５】
また、この追記型ＨＤＤＶＤでは、データリードイン領域とデータリードアウト領域にそれぞれ試し書き領域（ドライブテストゾーン）が設定され、この領域を用いて記録レーザパワーが設定された後、ユーザデータの記録が行われる。
【０００６】
これら２つのドライブテストゾーンのうち、データリードアウト領域側のドライブテストゾーンは、ディスク外周部に位置し記録再生特性が不安定なため、記録レーザパワーの設定には用い難く、通常、ドライブでは、データリードイン側のドライブテストゾーンのみを用いて記録レーザパワーの設定が行われる。しかし、ＨＤＤＶＤに繰り返しファイルを記録した場合には、ドライブテストゾーンが使用し尽くされることが想定され、ＨＤＤＶＤ規格では、このような場合に対応できるよう、これら２つのドライブテストゾーンの他に、別途、ドライブテストゾーンを拡張できるようにしている。この場合、このドライブテストゾーンは、ユーザデータの記録領域の終端部位置に、予め決められた容量だけ拡張される。したがって、ユーザデータの記録容量は、その分、減少することとなる。
【０００７】
なお、ドライブテストゾーンが拡張された場合には、その旨を示す情報が、フラグ情報として、記録管理情報（ＲＭＤ：Recording Management Data）に含まれる。このＲＭＤは、通常、データリードイン内の決められたゾーン（Ｌ−ＲＭＺ：Lead-in Recording Management Zone）に記録される。
【０００８】
なお、ＲＭＤは、ディスクの記録状態を管理するための情報であるため、ファイル記録が行われる度に更新され、Ｌ−ＲＭＺに記録される。すなわち、Ｌ−ＲＭＺは、ＲＭＤが更新される度に消費される。このため、ＲＭＤの更新が繰り返されると、Ｌ−ＲＭＺが使用し尽くされることが想定される。このような場合に対応できるよう、ＨＤＤＶＤ規格では、Ｌ−ＲＭＺの他に、別途、ＲＭＺを追加できるようにしている。ここで、ＲＭＺは、ユーザデータの記録領域の他、セッションの区切り位置に設定されるボーダ内に設定することもできる。
【０００９】
なお、ＲＭＤが更新されると、更新前のＲＭＤは無効化され、更新後のＲＭＤのみが有効となる。この他、最新のＲＭＤの位置に関する情報は、データリードインに設定されるＲＭＤダプリケーションゾーンにも記録される。したがって、最新のＲＭＤの位置は、ＲＭＤ間に張られたリンクを辿る方法の他、ＲＭＤダプリケーションゾーンに記録された情報から特定することもできる。
【００１０】
ところで、ＨＤＤＶＤの規格化においては、ＨＤＤＶＤドライブの動作検証を行うことが提案されている。
【００１１】
かかる動作検証のうち、記録動作の検証では、まずは、適正な信号特性にてデータ記録を行えるかが重要な要素となる。また、ファイルデータやデータリードインデータを適正に記録できるかも重要な要素となる。さらに、ボーダやターミネータを適正に記録できるかも重要な要素となる。
【００１２】
また、再生動作の検証では、最新のＲＭＤをそのドライブが認識できるかが重要な要素となる。最新のＲＭＤを適正に認識できなければ、ディスクの記録状態を把握することができず、円滑な記録動作を実行することができない。たとえば、不適正な位置から記録動作を開始するとの惧れがある。
【００１３】
また、この検証では、ドライブテストゾーンが拡張されているかを適正に認識できるかが重要な要素となる。この認識が不適正であると、ドライブテストゾーンが拡張されユーザデータの記録容量が減少しているにも拘わらず、通常のユーザデータ容量のままであるとして、ユーザデータの記録が行われる惧れがある。
【００１４】
さらに、この検証では、ボーダの認識を適正に行えるかが重要な要素となる。ＨＤＤＶＤにおけるボーダは、ＤＶＤと同様、ボーダ・アウトとボーダ・インに区別される。このうち、ボーダ・アウトには、ＤＶＤと異なり、更なる追記の可否を示す情報を記録することができる。よって、これを適正に認識できないと、追記可であるのに追記が禁止され、あるいは、追記不可であるのに、誤って追記が行われるとの不具合が生じる。なお、上記の如くボーダにＲＭＺを追加する場合には、ボーダ・インにＲＭＺ（B-RMZ）が設定される。
【００１５】
また、追記型ＨＤＤＶＤでは、ディスクの内周、中周、外周でボーダのサイズが異なっており、ディスク内のボーダの状態が一律ではない。したがって、ドライブは、このようにサイズが異なるボーダをＨＤＤＶＤから適正に読み出す必要がある。
【００１６】
なお、ＢＣＡ、システムリードイン、ボーダの状態、ディスク内のデータ構造やユーザデータ等を適正に認識できるかの検証において、それぞれの項目ごとにテストディスクを準備していくと、テストディスクの枚数が多量になり、検証作業が煩雑になる惧れがある。また、テストディスクを作製する場合には、記録マークや記録情報に誤りのない非常に理想的なディスクを提供する必要があり、複数種類のテストディスクを作製すると、その分、コストや時間を費やしてしまうとの問題も生じる。
【００１７】
以下の特許文献１には、テストディスクを用いてドライブの検査を行うことが記載されている。しかし、追記型ＨＤＤＶＤの規格に準拠したドライブの検査には、複数の項目があり、また、記録動作・再生動作といった多様な検証が必要である。
【特許文献１】特開２０００−３０６２４４号公報
【発明の開示】
【発明が解決しようとする課題】
【００１８】
そこで、本発明は、ＨＤＤＶＤドライブが、適正な信号特性にてデータ記録を行えるか、また、ファイルデータやデータリードインデータ、および、ボーダやターミネータを適正に記録できるかを円滑に検証できるドライブ検査方法を提供することを課題とする。
【００１９】
また、本発明は、ＨＤＤＶＤドライブが、最新のＲＭＤを適正に認識できるかを円滑に検証できるドライブ検査方法を提供することを課題とする。
【００２０】
さらに、本発明は、ＨＤＤＶＤドライブが、ドライブテストゾーンが拡張されているかを適正に認識できるかを円滑に検証できるドライブ検査方法を提供することを課題とする。
【００２１】
加えて、本発明は、ＨＤＤＶＤドライブが、ボーダの認識を適正に行えるかを円滑に検証できるドライブ検査方法を提供することを課題とする。
【００２２】
さらに、本発明は、追記型ＨＤＤＶＤの記録動作・再生動作の検証をできるだけ少ないテストディスクで実現し、コストや検証時間を短縮し、さらに検証されたドライブ間において一定の互換性を有することを実現できる検証方法を提供することを課題とする。
【課題を解決するための手段】
【００２３】
上記課題に鑑み本発明は、以下の特徴を有する。
【００２４】
請求項１の発明は、記録済み追記型テストディスクを用いて追記型光ディスク装置の検査を行う検査方法において、前記記録済み追記型テストディスクには、検査対象の追記型光ディスク装置とは異なる追記型光ディスク装置によって、ユーザデータ領域の全てが埋まるようにテストデータが記録され、且つ、該テストデータに続いて、追記の可否を示す情報を含むファイルクローズデータが記録されており、検査対象の追記型光ディスク装置が当該記録済み追記型テストディスクからテストデータを適正に再生できるか、および、前記ファイルクローズデータを適正に認識できるかを検証することにより、当該追記型光ディスク装置の再生動作を検査することを特徴とする。
【００２５】
この発明によれば、ユーザデータ領域の全てが埋まるようにテストデータが記録されているため、ユーザデータ領域の任意の領域からユーザデータを適正に再生できるかを検証することができる。
【００２６】
また、このユーザデータに続いてファイルクローズデータが記録されているため、ドライブが実際にこの位置からファイルクローズデータを読み出すタイプのものである場合に、再生特性に乱れが生じやすい外周部近傍位置から、ファイルクローズデータを円滑に取得できるかを検証することができる。したがって、このファイルクローズデータを追記型ＨＤＤＶＤの上記バースト・アウトと想定した場合には、ドライブが、セッション分割に重要なバースト・アウトを円滑に取得できるかを検証することができる。
【００２７】
請求項２の発明は、請求項１のドライブ検査方法において、前記テストデータを適正に再生できるかの検証は、前記テストデータを最終記録位置近傍の一定範囲において再生し、再生したテストデータが当該記録済み追記型テストディスクに記録されているべきテストデータに一致するかを照合することによって行われることを特徴とする。
【００２８】
この発明によれば、再生特性に乱れが生じやすい外周部近傍位置から、ユーザデータを円滑に取得できるかを検証することができる。よって、ディスク面の反りによる再生特性の乱れを円滑に検証することができる。
【００２９】
請求項３の発明は、請求項１または２のドライブ検査方法において、前記記録済み追記型テストディスクには、検査対象の追記型光ディスク装置とは異なる追記型光ディスク装置によって、追記の不可を示す情報を含む前記ファイルクローズデータが記録されており、前記ファイルクローズデータを適正に認識できるかの検証は、前記ファイルクローズデータが追記不可であることを示す情報を、当該追記型光ディスク装置が適正に認識できるかによって行われることを特徴とする。
【００３０】
この発明によれば、特に、ファイルクローズデータが追記不可に設定されていることを検証することができる。したがって、このファイルクローズデータを追記型ＨＤＤＶＤの上記バースト・アウトと想定した場合には、ドライブが、追記不可のバースト・アウトを円滑に認識できるかを検証することができる。
【００３３】
請求項４の発明は、請求項１ないし３の何れか一項のドライブ検査方法において、前記記録済み追記型テストディスクには、検査対象の追記型光ディスク装置とは異なる追記型光ディスク装置によって、ディスク最内周位置に、記録層をディスク円周方向に沿って間欠的に消失させて情報を保持するバースト領域が配され、さらに当該バースト領域と前記ユーザデータ領域の間に、螺旋状トラックに沿ってピット列を配置することにより情報を保持するシステムリードイン領域が配されており、検査対象の追記型光ディスク装置が当該記録済み追記型テストディスクから、前記システムリードイン領域に記録されている情報を適正に再生できるかを検証することにより、当該追記型光ディスク装置の再生動作を検査することを特徴とする。
【００３４】
この発明によれば、ディスク内周位置における特性を検証できるとともに、そのドライブ装置が、ユーザデータとは異なる方式にて記録されたシステムリードイン領域を円滑に再生できるかを、併せて検証することができる。
【００３５】
請求項５の発明は、記録済み追記型テストディスクを用いて追記型光ディスク装置の検査を行う検査方法において、前記記録済み追記型テストディスクには、検査対象の追記型光ディスク装置とは異なる追記型光ディスク装置によって、記録状態を管理する情報（RMD）を記録するための記録管理ゾーン（RMZ）が、データリードイン領域と、セッションの区切り位置にあるボーダ領域と、ユーザデータを記録するユーザデータ領域にそれぞれ設定され、前記管理情報（RMD）が、前記データリードイン領域、ボーダ領域およびユーザデータ領域に設定された記録管理ゾーン（L-RMZ、B-RMZ、U-RMZ）に、更新前の管理情報（RMD）と更新後の管理情報（RMD）間のリンクを保ちつつ、ユーザデータの記録に応じて更新されて記録され、さらに、最後に更新された前記管理情報（RMD）の位置を特定する情報が前記データリードイン領域内の対応するゾーンに記録されており、検査対象の追記型光ディスク装置が当該記録済み追記型テストディスクから最新の管理情報（RMD）を適正に再生できるかを検証することにより、当該追記型光ディスク装置の再生動作を検査することを特徴とする。
【００３６】
この発明によれば、検証対象ドライブが管理情報（RMD）間のリンクを辿りながら最新の管理情報（RMD）を認識するタイプのものである場合に、データリードイン領域、ボーダ領域およびユーザデータ領域にそれぞれ設定された記録管理ゾーン（L-RMZ、B-RMZ、U-RMZ）を辿りながら、最終的に最新の管理情報（RMD）を適正に認識できるかを検証することができる。また、検証対象ドライブがデータリードイン領域内の他のゾーン（ＲＭＤダプリケーションゾーン）に記録されている情報から最新の管理情報（RMD）を認識するタイプのものである場合にも、この処理動作によって適正に最新の管理情報（RMD）を認識できるかを検証することができる。
【００３７】
請求項６の発明は、請求項５のドライブ検査方法において、前記記録済み追記型テストディスクには、検査対象の追記型光ディスク装置とは異なる追記型光ディスク装置によって、記録レーザパワー設定の際に試し書きを行うためのテストゾーンが、記録初期段階に通常設定されるゾーンの他に、別途拡張されて設定され、且つ、前記テストゾーンが拡張されていることを示す情報が、少なくとも最後に更新された前記管理情報（RMD）に含まれており、検査対象の追記型光ディスク装置が当該記録済み追記型テストディスクにおいて前記テストゾーンが拡張されていることを認識できるかを検証することにより、当該追記型光ディスク装置の再生動作を検査することを特徴とする。
【００３８】
この発明によれば、最後に更新された前記管理情報（RMD）の認識が可能な場合に、さらにこの管理情報（RMD）をもとに、テストゾーンが拡張されていることを適正に認識できるかを検証することができる。
【００３９】
請求項７の発明は、請求項６のドライブ検査方法において、前記記録済み追記型テストディスクには、検査対象の追記型光ディスク装置とは異なる追記型光ディスク装置によって、ユーザデータの未記録の領域が残されており、前記テストゾーンが拡張されていることを認識できるかの検証は、この未記録の領域の容量を当該追記型光ディスク装置が適正に認識できるかによって行われることを特徴とする。
【００４０】
この発明によれば、未記録領域の容量を検証するのみで、検査対象ドライブが、未記録領域の開始アドレスと、テストゾーンが拡張されていることの両方を適正に認識できるかを、同時に検証することができる。
【００４１】
請求項８の発明は、請求項５ないし７の何れか一項に記載のドライブ検査方法おいて、前記記録済み追記型テストディスクには、検査対象の追記型光ディスク装置とは異なる追記型光ディスク装置によって、最終のユーザデータ記録位置に続いてボーダ領域が設定され、且つ、このボーダ領域に、さらなるユーザデータの追記が可能であることを示す情報が記録されており、検査対象の追記型光ディスク装置が、前記ボーダ領域に記録されている情報をもとに、当該記録済み追記型テストディスクが追記可能であることを認識できるかを検証することにより、当該追記型光ディスク装置の再生動作を検査することを特徴とする。
【００４２】
この発明によれば、ボーダ領域と、そこに記録されているユーザデータの追記の可否を示す情報を適正に認識できるかを検証することができる。
【００４４】
この発明によれば、ＨＤＤＶＤドライブが、適正な信号特性にてデータ記録を行えるか、また、ファイルデータやデータリードインデータ、および、ボーダやターミネータを適正に記録できるかを検査することができる。
【００４６】
この発明によれば、特に、ボーダデータとターミネータデータを、その記録アドレスに応じて適正に記録できるかを検証することができる。
【００４７】
請求項９の発明は、追記型光ディスク装置の検査を行う検査方法において、３枚のディスクを用いて検査を行い、前記３枚のディスクのうち１枚は未記録の追記型光ディスクであり、この追記型光ディスクに対しターゲットドライブで記録を行う記録工程と、前記記録工程にて記録された前記追記型光ディスクの記録状態を検査する第１の検査工程と、前記３枚のディスクのうち１枚はターゲットドライブとは異なるドライブによって記録された、追記不可能な記録済み追記型光ディスクであり、前記追記不可能な追記型光ディスクをターゲットドライブにて再生し、再生された情報をもとにターゲットドライブの再生動作を検査する第２の検査工程と、前記３枚のディスクのうち１枚はターゲットドライブとは異なるドライブによって記録された、追記可能な記録済み追記型光ディスクであり、前記追記可能な追記型光ディスクをターゲットドライブにて再生し、再生された情報をもとにターゲットドライブの再生動作を検査する第３の検査工程とを有することを特徴とする。
【００４８】
この発明によれば、わずか３枚のディスクを用いるのみで、ターゲットドライブの記録再生動作の適否を検査することができる。なお、この発明では、前記記録工程と第１の検査工程として請求項１１および１２に示す記録工程と検査工程が適用されえる。また、前記追記不可能な記録済み追記型光ディスクおよびそれを用いる第２の検査として請求項３およびそれに従属する請求項４および５に示すテストディスクおよび検査工程が適用され得る。さらに、前記追記可能な記録済み追記型光ディスクおよびそれを用いる第３の検査として請求項９に示すテストディスクおよび検査工程が適用され得る。この場合、これら適用される各請求項の発明による効果が同様に奏される。したがって、多数の項目の検証を、わずか３枚のディスクを用いながら、短時間、低コストおよび簡易な作業にて効率よく行えるとの効果が奏される。
【発明の効果】
【００４９】
以上のとおり本発明によれば、検査対象ドライブが、適正な信号特性にてデータ記録を行えるか、また、ファイルデータやデータリードインデータ、および、ボーダやターミネータを適正に記録できるかを円滑に検証することができる。
【００５０】
また、検査対象ドライブが、最新のＲＭＤを適正に認識できるかを円滑に検証することができる。
【００５１】
さらに、検査対象ドライブが、ドライブテストゾーンが拡張されているかを適正に認識できるかを円滑に検証することができる。
【００５２】
加えて、検査対象ドライブが、ボーダの認識を適正に行えるかを円滑に検証することができる。
【００５３】
また、本発明によれば、３枚のディスクによって検証が実現されるから、多くのディスクを使う場合に比べ、効率的に記録・再生動作の検証を行うことが可能となる。また、ディスクの交換やテストディスクの管理といった作業・管理の煩雑性を回避でき、検証時間の短縮や、ディスク購入などによるコストの上昇を抑制することができる。
【００５４】
なお、本発明に係る検査方法にて適正とされたドライブは、少なくとも全周記録が可能で、且つ、追記不可能のファイナライズを行う手法を搭載し、さらに、追記不可能のディスクと追記可能なディスクを正確に判別できる機能を有するものであると認められる。その意味において、本発明に係る検査方法に従えば、それにパスした追記型ＨＤＤＶＤのドライブ同士で互換性を保つことが可能となる。
【００５５】
本発明の意義ないし効果は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【発明を実施するための最良の形態】
【００５６】
以下、本発明の実施の形態につき図面を参照して説明する。なお、本実施例は、追記型ＨＤＤＶＤドライブ装置を検査する際の検査方法に本発明を適用したものである。
【００５７】
まず、図１に実施の形態に係る追記型ＨＤＤＶＤの構成を示す。図示の如く、追記型ＨＤＤＶＤは、記録層１２と反射層１３が積層された基板１１の上に、接着層１４を介して、基板１５を張り合わせ、さらに、その上に、印刷層１６を形成した構成となっている。
【００５８】
基板１１、１５は、ポリカーボネートからなっている。基板材料は、ＨＤＤＶＤドライブで用いられる波長４００ｎｍ程度のレーザ光を透過しやすい材料とするのが好ましい。基板材料として、ポリオレフィンやポリ乳酸等の生分解材料を用いることもできる。
【００５９】
基板１１、１５は、共に、射出成型により形成される。このうち、基板１１は、テストディスクのトラックパターン（ピット、グルーブ）を有するスタンパを用いて形成される。基板１１の表面には、スタンパ上のトラックパターンが転写される。これら基板１１、１５は、共に、０．６ｍｍの厚みとされている。
【００６０】
記録層１２は、有機色素材料により構成される。この有機色素材料は、記録マーク部分の反射率が未記録部分の反射率よりも高くなる、いわゆる、Low-to-High型の有機色素材料とされる。なお、記録層１２に用いる有機色素材料は、記録マーク部分の反射率が未記録部分の反射率よりも低くなる、いわゆる、High-to-Low型の有機色素材料を用いることもできる。また、相変化型の材料であってもよく、Pd-CUや、Co系、Ag-Pd-Cu等であっても良い。ただし、記録層１２に用いる材料は、書き換えできないタイプのものに制限される。
【００６１】
記録層１２は、スピンコートによって、基板１２のトラックパターン転写面上に形成される。
【００６２】
反射層１３は、Ａｇ等の高反射材料から構成される。この他、波長４００ｎｍ程度のレーザ光に対して高反射率のＡｌ、Ｐｔ等を用いることもできる。反射層１３は、スパッタリングによって、記録層１２上に形成される。
【００６３】
図２に、追記型ＨＤＤＶＤのエリアフォーマットを示す。
【００６４】
追記型ＨＤＤＶＤは、内周から順に、クランプ領域２１、バーストカッティング領域（ＢＣＡ）２２、システムリードイン領域２３、データ領域２４、システムリードアウト領域２５にエリア分割されている。
【００６５】
ＢＣＡ２２には、ＨＤＤＶＤ−Ｒ規格に従う形態にて、所定の情報が記録されている。具体的には、平坦な記録層１２をディスク円周方向に沿って間欠的に消失させることにより、BCA IDや、当該テストディスクが準拠する規格書のブック番号等の情報が記録されている。なお、記録層１２の消失は、高パワーレーザを用いて記録層１２を焼き切る方法等にて行われる。
【００６６】
ＢＣＡ２２上にビームスポットを位置づけると、その反射光には、記録層１２の消失部分と非消失部分に応じて、明暗が生じる。この明暗の変化を復調することにより、ＢＣＡ２２に記録された情報が再生される。
【００６７】
システムリードイン領域２３には、ＨＤＤＶＤ−Ｒ規格に従う形態にて、所定の情報が記録されている。具体的には、記録層１２上に螺旋状にピット列を配列することにより、当該ＨＤＤＶＤの物理パラメータ（ピットサイズ、トラックピッチ、等）に関する情報等が記録されている。システムリードイン領域２３にはグルーブは形成されておらず、ピット列のみが形成されている。
【００６８】
データ領域２４には、螺旋状のグルーブが形成されている。このグルーブ上に、ＨＤＤＶＤ−Ｒ規格に従うフォーマットにて、種々のデータが記録される。当該ＨＤＤＶＤをテストディスクとして形成する際には、未記録のグルーブ上に、後述のデータが記録される。また、ドライブの記録状態を検査する際には、検査対象のドライブによって、後述のデータが記録される。なお、追記型ＨＤＤＶＤでは、グルーブのみにデータが記録されるため、グルーブ間のランドは、狭小に形成されている。
【００６９】
グルーブは、ディスク径方向に蛇行（ウォブル）している。このウォブルによって物理アドレスが保持されている。なお、記録データには、この物理アドレスとは別に、論理アドレスが保持される。
【００７０】
システムリードアウト領域２４には、データ領域２４と同様、螺旋状のグルーブが形成されている。また、このグルーブも、データ領域２４と同様、ディスク径方向に蛇行（ウォブル）している。システムリードアウト領域２４には、ＨＤＤＶＤ−Ｒ規格に従うフォーマットにてゾーンが設定されるが、通常、ユーザデータは記録されない。
【００７１】
図３に、ドライブ検査に用いる第１のテストディスク（テストディスク１０）のデータ領域２４に記録されるデータのデータフォーマットを示す。本実施の形態において、テストディスク１０は、たとえば、上記構成を有する未記録の追記型ＨＤＤＶＤに、以下のフォーマットにてデータを記録することにより生成される。なお、以下のデータフォーマットは、上記の如く、ＨＤＤＶＤ−Ｒ規格に準拠するものである。
【００７２】
図示の如く、当該テストディスク１０のデータ領域２４には、データリードインと、データ（テストデータ）と、ボーダ・アウトと、データリードアウトが記録されている。
【００７３】
データリードインには、ドライブテストゾーンが設定されている。テストデータの記録時には、このドライブテストゾーンを使って試し書きが行われ、記録レーザパワーの初期値が設定される。データリードインには、上記システムリードイン２３に保持されている情報がコピー記録されている。
【００７４】
また、データリードインには、ＲＭＤ（Recording Management Data）ダプリケーションゾーンと、Ｌ−ＲＭＺ（Lead-in Recording Management Zone）が設定されている。Ｌ−ＲＭＺには、データの記録状態を関する情報（ＲＭＤ）が記録されている。このＲＭＤには、そのＲＭＤ作成時における最終の記録アドレス等が記録されている。なお、ＲＭＤは、ユーザデータの記録動作の度に更新され、Ｌ−ＲＭＺに追記される。Ｌ−ＲＭＺには、ＨＤＤＶＤ−Ｒ規格に従って、所定個数のＲＭＤを記録できる容量が割り当てられている。
【００７５】
ＲＭＤダプリケーションゾーンには、現在有効な最新のＲＭＤとそのアドレスを示す情報等、ＲＭＤに関する情報が記録されている。この他、当該テストディスク１０に記録を行ったドライブに関する情報（Unique ID）や、その記録を行った時間（Time Stamp）等の情報が記録されている。
【００７６】
本テストディスク１０では、データリードインに続いて、データ領域２４の全ユーザデータ容量が埋まるようにデータ（テストデータ）が記録され、さらに、それに続いて、ボーダ・アウトが記録されている。テストデータは、所定個数のファイルデータから構成されている。また、ボーダ・アウトを構成する情報には、“追記不可”を示す情報が含まれている。
【００７７】
データリードアウトには、そこがデータリードアウトであることを示す属性情報が設定されている。
【００７８】
図４に、ドライブ検査に用いる第２のテストディスク（テストディスク３０）のデータ領域２４に記録されるデータのデータフォーマットを示す。本実施の形態において、テストディスク３０は、たとえば、上記構成を有する未記録の追記型ＨＤＤＶＤに、以下のフォーマットにてデータを記録することにより生成される。なお、以下のデータフォーマットは、上記の如く、ＨＤＤＶＤ−Ｒ規格に準拠するものである。
【００７９】
図示の如く、当該テストディスク３０のデータ領域２４には、データリードインとデータリードアウトが記録され、その間に、一定容量の未記録領域を残して、ユーザデータ（テストデータ）等、各種データが記録されている。
【００８０】
データリードインには、ドライブテストゾーンが設定されている。未記録の追記型ＨＤＤＶＤからテストディスク３０を形成する場合、ユーザデータの記録に際し、ドライブテストゾーンを使って試し書きが行われ、記録レーザパワーの初期値が設定される。データリードインには、上記システムリードイン２３に保持されている情報がコピー記録されている。データリードアウトには、そこがデータリードアウトであることを示す属性情報が設定されている。
【００８１】
図５に、テストディスク３０におけるデータ領域のデータ構造を示す。
【００８２】
データリードインには、ＲＭＤダプリケーションゾーンと、Ｌ−ＲＭＺが設定されている。Ｌ−ＲＭＺには、上記テストディスク１０と同様、データの記録状態を関する情報（ＲＭＤ）が記録される。
【００８３】
本テストディスク３０では、データリードインに続いて、ユーザデータゾーン、ボーダ・アウト、ボーダ・イン、ユーザデータゾーンおよびボーダ・アウトが順次設定されている。また、最後のボーダ・アウトとデータリードアウトの間に、一定容量の未記録領域が残されている。
【００８４】
最初のユーザデータゾーンには、所定容量のファイル情報が所定個数記録されている。このユーザデータゾーンに記録された情報に関するＲＭＤが、データリードインのＬ−ＲＭＺに記録されている。同様に、このＲＭＤに関する情報が、ＲＭＤダプリケーションゾーンに記録されている。
【００８５】
このユーザデータゾーンに続いてボーダ・アウトとボーダ・インが設定され、セッションが区切られている。このうち、ボーダ・アウトを構成する情報には、“追記可”を示す情報が含まれている。また、ボーダ・インには、ＲＭＺ（B-RMZ）が設定されている。したがって、データリードインのＬ−ＲＭＺは、Ｂ−ＲＭＺにリンクするようにしてクローズ（無効化）されている。これに関する情報は、ＲＭＤダプリケーションゾーンに追記されている。
【００８６】
ボーダ・インに続いて、所定容量の数個のファイル情報からなるユーザデータが記録されている。このファイル情報の記録に応じて、ボーダ・イン内のＢ−ＲＭＺにＲＭＤが追記されている。ここで、Ｂ−ＲＭＺは、新たにユーザデータゾーン内にＲＭＺ（U-RMZ）を設定可能となるレベルまで、ＲＭＤの追記により消費されている。これは、Ｕ−ＲＭＺはＲＭＤの残り量が所定量以下にならないと作成できないからである。すなわち、記録されるファイル情報の個数は、Ｂ−ＲＭＺがＲＭＤの更新追記によってこのように消費されるだけの個数に設定されている。
【００８７】
かかるファイル情報の記録に続き、当該ユーザデータゾーン内にＲＭＺ（U-RMZ）が設定されている。したがって、ボーダ・イン内のＢ−ＲＭＺは、Ｕ−ＲＭＺにリンクするようにしてクローズ（無効化）されている。これに関する情報は、ＲＭＤダプリケーションゾーンに追記されている。
【００８８】
このＵ−ＲＭＺに続いて、所定個数のファイル情報からなるユーザデータが記録されている。このファイル情報の記録に応じて、ユーザデータゾーン内のＵ−ＲＭＺにＲＭＤが追記されている。また、これに関する情報は、ＲＭＤダプリケーションゾーンにも追記されている。
【００８９】
かかるユーザデータの終端に続いて、ボーダ・アウトが記録されている。このボーダ・アウトを構成する情報には、“追記可”を示す情報が含まれている。かかるボーダ・アウトの後には、一定容量の未記録領域が残されている。
【００９０】
かかる未記録領域に続き、データリードアウト内に、ガードゾーンが設定されている。そして、これに続いて、拡張されたドライブテストゾーン（拡張ドライブテストゾーン）が設定されている。さらにこれに続いて、通常のドライブテストゾーン、ディスクテストゾーンおよびガードトラックゾーンが設定されている。このように、本テストディスクでは、通常のドライブテストゾーンの他に、別途、ドライブテストゾーンが拡張されている。ドライブテストゾーンが拡張されていることを示す情報は、Ｕ−ＲＭＺ内のＲＭＤにフラグ情報として保持されている。
【００９１】
なお、データリードアウトには、上記の如く、そこがデータリードアウトであることを示す属性情報が記録されている。しかし、データリードアウトのうち、図５に示す各ゾーンには情報が記録されておらず、単に、アドレス管理情報としてこれらのゾーンが設定されているのみであってもよい。また、ドライブテストゾーンも拡張ドライブテストゾーンも未使用状態とされている。
【００９２】
次に、ＨＤＤＶＤドライブの検査方法について説明する。
【００９３】
＜記録状態の検査＞
図６に、記録状態の検査の際に、検査対象のＨＤＤＶＤドライブ（ターゲットドライブ）によって未記録の追記型ＨＤＤＶＤに記録されるデータの内容を示す。
【００９４】
図示の如く、記録状態の検査の際には、データ領域に、データリードイン、ファイルデータ（１００個のファイル）、ボーダ・イン、ボーダ・アウト、ファイルデータ（１個のファイル）、ボーダ・アウト、ターミネータおよびデータリードアウトが順番に記録される。なお、ボーダ・イン、ボーダ・アウトおよびターミネータのサイズ（容量）は、ＨＤＤＶＤ−Ｒ規格に準拠するサイズとなっている。ＨＤＤＶＤ−Ｒ規格では、ボーダ・イン、ボーダ・アウトおよびターミネータの配置位置（アドレス）に応じてそのサイズが変化する。
【００９５】
ターゲットドライブにより、このデータフォーマットにて記録が行われた後、図７に従う検査フローにて、ターゲットドライブの記録状態が検査される。
【００９６】
まず、ターゲットドライブにて記録済みの追記型ＨＤＤＶＤが、測定装置に装着され、PRSNR（Partial Response Signal to Noise Ratio）、アシンメトリ等の記録信号特性や、記録状態に係る各種パラメータの値が測定される（Ｓ１０１）。測定されたパラメータ値は、それぞれ基準値と比較照合される（Ｓ１０２）。そして、これらパラメータ値が一定の基準値範囲内にない場合（Ｓ１０３：ＮＯ）、当該ターゲットドライブは、不適正ドライブとされる。一方、パラメータ値が一定の基準値範囲内にあれば（Ｓ１０３：ＹＥＳ）、当該ターゲットドライブは、記録状態に係る各種パラメータの値が適正な範囲にて記録動作を行えると判定する（Ｓ１０４）。
【００９７】
かかる検査工程が終了すると、次に、ターゲットドライブにて記録が行われた追記型ＨＤＤＶＤが、適正に動作するＨＤＤＶＤドライブ（参照ドライブ）に装着され、以下の検査が行われる。
【００９８】
まず、このＨＤＤＶＤが参照ドライブに装着されると、当該参照ドライブに接続された評価装置（ＰＣ端末、等）から、参照ドライブに対し、ファイルデータの出力要求コマンドが送信される（Ｓ１１１）。評価装置は、これに応じて参照ドライブから受信したファイルデータをもとに、記録ファイル数が適正であることや、ファイル間に重なりがないか等、ファイルデータの状態を検証する（Ｓ１１２）。この検証結果が不良の場合（Ｓ１１３：ＮＯ）、当該ターゲットドライブは、不適正ドライブとされる。一方、検証結果が良好であれば（Ｓ１１３：ＹＥＳ）、当該ターゲットドライブは、ファイルデータを適正に記録できると判定する（Ｓ１１４）。
【００９９】
上記検証フローを実行した後、または、上記検証フローと並行して、評価装置から参照ドライブに対し、データリードインデータの出力要求コマンドが送信される（Ｓ１２１）。評価装置は、これに応じて参照ドライブから受信したデータリードインデータと当該ＨＤＤＶＤに記録されているはずのデータリードインデータを比較照合し、データリードインデータの記録状態を検証する（Ｓ１２２）。そして、この検証結果が不良の場合（Ｓ１２３：ＮＯ）、当該ターゲットドライブは、不適正ドライブとされる。一方、検証結果が良好であれば（Ｓ１２３：ＹＥＳ）、当該ターゲットドライブは、データリードインを適正に記録できると判定する（Ｓ１２４）。
【０１００】
さらに、上記検証フローを実行した後、または、上記検証フローと並行して、評価装置から参照ドライブに対し、ボーダに記録されているデータとターミネータに記録されているデータの出力要求コマンドが送信される（Ｓ１３１）。評価装置は、これに応じて参照ドライブから受信したボーダデータおよびターミネータデータと当該ＨＤＤＶＤに記録されているはずのボーダデータおよびターミネータデータを比較照合し、これらデータの記録状態を検証する（Ｓ１３２）。具体的には、セッション間に設定されたボーダ・インおよびボーダ・アウトのデータサイズ、最終のファイルデータに続いて設定されたボーダ・アウトのデータサイズおよびこれに続いて設定されたターミネータのデータサイズが適正であるかを検証する。この検証結果が不良の場合（Ｓ１３３：ＮＯ）、当該ターゲットドライブは、不適正ドライブとされる。一方、検証結果が良好であれば（Ｓ１３３：ＹＥＳ）、当該ターゲットドライブは、ボーダとターミネータを適正に記録できると判定する（Ｓ１３４）。
【０１０１】
以上のようにして、各工程の検証が終了すると、最後に、それぞれの検証結果が、それぞれ、Ｓ１０４、Ｓ１１４、Ｓ１２４、Ｓ１３４にて、適正であると判定されたかが評価される（Ｓ１４０）。そして、全ての検証結果が適正であれば、当該ターゲットドライブは、記録動作を適正に行えるとされる。
【０１０２】
この記録動作の検証において、ターゲットドライブが規格に準拠した記録信号特性を有しているか、ボーダ、ターミネータ、ＲＭＺ、データリードインの情報を正しく記録することができるのかを１枚のブランクディスクによって確認することができる。
【０１０３】
＜再生状態の検査１＞
図８に、テストディスク１０を用いてＨＤＤＶＤドライブの再生状態を検査する際のフローチャートを示す。
【０１０４】
検査対象のＨＤＤＶＤドライブ（ターゲットドライブ）にテストディスク１０が装着されると、当該ターゲットドライブに接続された評価装置（ＰＣ端末、等）から、ターゲットドライブに対し、ＢＣＡデータ（ＢＣＡ２２に保持されているデータ）の出力要求コマンドが送信される（Ｓ２０１）。このコマンドに対する応答が無ければ（Ｓ２０２：ＮＯ）、当該ターゲットドライブは、不適正ドライブとされる。一方、ターゲットドライブから応答があれば（Ｓ２０２：ＹＥＳ）、評価装置は、ターゲットドライブから受信したＢＣＡデータと、テストディスク１０のＢＣＡに記録されているはずのＢＣＡデータ（参照ＢＣＡデータ）を照合する（Ｓ２０３）。両データが不一致の場合（Ｓ２０４：ＮＯ）、当該ターゲットドライブは、不適正ドライブとされる。一方、両データが一致すれば（Ｓ２０４：ＹＥＳ）、当該ターゲットドライブは、ＢＣＡデータを適正に認識できると判定する（Ｓ２０５）。
【０１０５】
上記検証フローを実行した後、または、上記検証フローと並行して、評価装置からターゲットドライブに対し、システムリードインデータの出力要求コマンドが送信される（Ｓ２１１）。このコマンドに対する応答が無ければ（Ｓ２１２：ＮＯ）、当該ターゲットドライブは、不適正ドライブとされる。一方、ターゲットドライブから応答があれば（Ｓ２１２：ＹＥＳ）、評価装置は、ターゲットドライブから受信したシステムリードインデータと、テストディスク１０のシステムリードインに記録されているはずのシステムリードインデータ（参照システムリードインデータ）を照合する（Ｓ２１３）。両データが不一致の場合（Ｓ２１４：ＮＯ）、当該ターゲットドライブは、不適正ドライブとされる。一方、両データが一致すれば（Ｓ２１４：ＹＥＳ）、当該ターゲットドライブは、システムリードインデータを適正に認識できると判定する（Ｓ２１５）。
【０１０６】
さらに、上記検証フローを実行した後、または、上記検証フローと並行して、評価装置からターゲットドライブに対し、ユーザデータ（テストデータ）の出力要求コマンドが送信される（Ｓ２２１）。このコマンドは、たとえば、ディスク外周部の一定範囲（たとえば、最終アドレスから一定容量だけ遡る範囲）に記録されているデータの出力要求コマンドとされる。この場合、出力すべきデータの範囲がアドレスによって指定される。なお、このように一部のデータのみを出力する要求に代えて、全ユーザデータを出力する要求としても良い。
【０１０７】
このコマンドに対する応答が無ければ（Ｓ２２２：ＮＯ）、当該ターゲットドライブは、不適正ドライブとされる。一方、ターゲットドライブから応答があれば（Ｓ２２２：ＹＥＳ）、評価装置は、ターゲットドライブから受信したユーザデータと、テストディスク１０の指定範囲に記録されているはずのユーザデータ（参照ユーザデータ）を照合する（Ｓ２２３）。両データが不一致の場合（Ｓ２２４：ＮＯ）、当該ターゲットドライブは、不適正ドライブとされる。一方、両データが一致すれば（Ｓ２２４：ＹＥＳ）、当該ターゲットドライブは、ユーザデータを適正に再生できると判定する（Ｓ２２５）。
【０１０８】
上記検証フローを実行した後、または、上記検証フローと並行して、評価装置からターゲットドライブに対し、当該テストディスクのディスク構造を問い合わせるコマンドが送信される（Ｓ２３１）。このコマンドに対する応答が無ければ（Ｓ２３２：ＮＯ）、当該ターゲットドライブは、不適正ドライブとされる。一方、ターゲットドライブから応答があれば（Ｓ２３２：ＹＥＳ）、評価装置は、ターゲットドライブから受信したディスク構造に関する情報のうちのファイナライズ形式と、当該テストディスク１０に設定されているはずのファイナライズ形式とを照合する（Ｓ２３３）。具体的には、ターゲットドライブにて認識されたファイナライズ形式が、追記不可の情報を含むボーダ・アウトであるかを判別する。
【０１０９】
ターゲットドライブから受信したファイナライズ形式が不適正である場合（Ｓ２３４：ＮＯ）、当該ターゲットドライブは、不適正ドライブとされる。一方、ターゲットドライブから受信したファイナライズ形式が適正であれば（Ｓ２３４：ＹＥＳ）、当該ターゲットドライブは、ボーダ・アウトを適正に認識できると判定する（Ｓ２３５）。
【０１１０】
なお、Ｓ２３３による照合は、ファイナライズ形式のみならず、その他のデータ構造を併せて照合するようにしても良い。たとえば、ファイナライズ形式とともに、データ領域に存在するセッション数を照合するようにしても良い。これにより、ドライブがテストディスク内にあるセッションの個数を正しく認識することが検証できる。
【０１１１】
以上のようにして、各コマンドについて検証が終了すると、最後に、それぞれの検証結果が、それぞれ、Ｓ２０５、Ｓ２１５、Ｓ２２５、Ｓ２３５にて、適正であると判定されたかが評価される（Ｓ２４０）。そして、全ての検証結果が適正であれば、当該ターゲットドライブは、当該テストディスク１０を用いた検証に合格したとされる。
【０１１２】
以上、本フローチャートに従う検査によれば、ターゲットドライブが、ディスク最内周位置から最外周位置まで適正に再生できるか、および、ボーダ・アウトを適正に認識し得るかを円滑に検証することができ、併せて、ターゲットドライブが、ＢＣＡ２２とシステムリードイン領域２３に保持されているデータを適正に再生し得るかを円滑に検証することができる。また、かかる検証を、ファイナライズされた記録済みの追記型ＨＤＤＶＤ１枚のみで確認できるため、非常に効率よく再生検証を行うことができ、また、ディスク購入に要するコストの削減や、ディスク交換時の煩雑性の抑制、および、検査所要時間の短縮化を図ることができる。
【０１１３】
なお、上記検査フローでは、Ｓ２０３、Ｓ２１３、Ｓ２２３、Ｓ２３３およびＳ２４０における照合を評価装置内にて行うようにしたが、これらの検証は、たとえば、ターゲットドライブから受信したデータを評価装置のモニター上に表示させ、このデータと、テストディスク１０に記録されているはずの参照データとを、ユーザが目視等により照合して行うようにすることも可能である。
【０１１４】
＜再生状態の検査２＞
図９に、テストディスク３０を用いてＨＤＤＶＤドライブの再生状態を検査する際のフローチャートを示す。
【０１１５】
検証対象のＨＤＤＶＤドライブ（ターゲットドライブ）にテストディスク３０が装着されると、当該ターゲットドライブに接続された評価装置（ＰＣ端末、等）から、ターゲットドライブに対し、当該テストディスクのディスク構造を問い合わせるコマンドが送信される（Ｓ３０１）。このコマンドに対する応答が無ければ（Ｓ３０２：ＮＯ）、当該ターゲットドライブは、不適正ドライブとされる。一方、ターゲットドライブから応答があれば（Ｓ３０２：ＹＥＳ）、評価装置は、ターゲットドライブから受信したディスク構造に関する情報のうち追記の可否を示す情報が“追記可”となっているかを照合する（Ｓ３０３）。具体的には、ターゲットドライブにて認識されたディスク状態が、“追記可”の情報を含むボーダ・アウトであるかを判別する。
【０１１６】
ターゲットドライブから受信したディスク構造が不適正である場合（Ｓ３０４：ＮＯ）、当該ターゲットドライブは、不適正ドライブとされる。一方、ターゲットドライブから受信したディスク構造が適正であれば（Ｓ３０４：ＹＥＳ）、当該ターゲットドライブは、ボーダ・アウトが“追記可”となっていることを適正に認識できると判定する（Ｓ３０５）。
【０１１７】
上記検証フローを実行した後、または、上記検証フローと並行して、評価装置からターゲットドライブに対し、追記開始アドレスを問い合わせるコマンドが送信される（Ｓ３１１）。このコマンドに対する応答が無ければ（Ｓ３１２：ＮＯ）、当該ターゲットドライブは、不適正ドライブとされる。一方、ターゲットドライブから応答があれば（Ｓ３１２：ＹＥＳ）、評価装置は、ターゲットドライブから受信した追記開始アドレスと、テストディスク３０に設定されているはずの追記開始アドレス（参照開始アドレス）を照合する（Ｓ３１３）。ここで、両データが不一致の場合（Ｓ３１４：ＮＯ）、当該ターゲットドライブは、不適正ドライブとされる。一方、両データが一致すれば（Ｓ３１４：ＹＥＳ）、当該ターゲットドライブは、最新のＲＭＤを認識でき、且つ、このＲＭＤから追記開始アドレスを適正に認識できると判定する（Ｓ３１５）。
【０１１８】
さらに、上記検証フローを実行した後、または、上記検証フローと並行して、評価装置からターゲットドライブに対し、追記できる残容量（未記録容量）を問い合わせるコマンドが送信される（Ｓ３２１）。このコマンドに対する応答が無ければ（Ｓ３２２：ＮＯ）、当該ターゲットドライブは、不適正ドライブとされる。一方、ターゲットドライブから応答があれば（Ｓ３２２：ＹＥＳ）、評価装置は、ターゲットドライブから受信した残容量と、テストディスク３０に残されているはずの残容量（参照残容量）を照合する（Ｓ３２３）。
【０１１９】
ここで、残容量は、ターゲットドライブにおいて、追記開始アドレスとドライブテストゾーンの拡張の有無に基づいて算出される。すなわち、ドライブテストゾーンが未拡張のときにユーザデータを記録できる最終アドレスから追記開始アドレスを減算し、さらに、ドライブテストゾーンが拡張されている場合には、その拡張に用いられる容量を、先の減算結果からさらに減算することにより、当該ディスクの残容量が求められる。したがって、ターゲットドライブにおいて、当該テストディスク３０に記録されている最新のＲＭＤから追記開始アドレスを認識でき、且つ、このＲＭＤに含まれているドライブテストゾーンの拡張フラグを認識できれば、当該テストディスク３０の残容量を適正に取得することができる。
【０１２０】
Ｓ３２３の照合において、両容量が不一致の場合（Ｓ３２４：ＮＯ）、当該ターゲットドライブは、不適正ドライブとされる。一方、両データが一致すれば（Ｓ３２４：ＹＥＳ）、当該ターゲットドライブは、最新ＲＭＤ内の拡張フラグを適正に認識できると判定される（Ｓ３２５）。
【０１２１】
以上のようにして、各コマンドについての検証が終了すると、最後に、それぞれの検証結果が、Ｓ３０５、Ｓ３１５、Ｓ３２５にて、適正であると判定されたかが評価される（Ｓ３３０）。そして、全ての検証結果が適正であれば、当該ターゲットドライブは、当該テストディスク３０を用いた検証に合格したとされる。
【０１２２】
以上、本フローチャートに従う検査によれば、ターゲットドライブが、Ｕ−ＲＭＺ内にある最新のＲＭＤを適正に認識できるか、また、ドライブテストゾーンが拡張されているかを適正に認識できるか、さらに、ボーダ・アウトが“追記可”になっていることを適正に認識できるかを円滑に検証することができる。
【０１２３】
なお、上記検査フローでは、Ｓ３０３、Ｓ３１３、３２３およびＳ３３０における照合を評価装置内にて行うようにしたが、これらの検証は、たとえば、ターゲットドライブから受信したデータを評価装置のモニター上に表示させ、このデータと、テストディスク３０に記録されているはずの参照データとを、ユーザが目視等により照合して行うようにすることも可能である。
【０１２４】
また、本処理フローで用いるテストディスク３０のデータフォーマットは、以下のように変更することができる。
【０１２５】
たとえば、図１０に示す如く、ユーザデータの終端に続くボーダ・アウトを省略することもできる。この場合、ターゲットドライブは、最新のＲＭＤにファイナライズフラグが立っていないこと、もしくは、最終アドレスのData ID情報の中に記載されているエリアコードがデータリードアウト属性になっていないことなどから、当該テストディスクが追記可の状態にあると判断できる。なお、この場合も、追記の可否は、上記Ｓ３０１〜３０５の場合と同様、ディスク構造を問い合わせるコマンドに応じて、ターゲットドライブから評価装置に送信される。
【０１２６】
また、Ｕ−ＲＭＺは１箇所に限らず、たとえば、図１１に示すように、最初のユーザデータゾーン内にも設定するようにしても良い。なお、この場合、２つ目のユーザデータゾーン内にＵ−ＲＭＺを設定しないようにしても良い。
【０１２７】
以上、本実施の形態によれば、同一のターゲットドライブに対して記録状態の検査および再生状態の検査１、２を行うことにより、ターゲットドライブが記録動作および再生動作の両方において適正であるかを検証することができる。
【０１２８】
特に、テストディスク１０を用いることにより、ターゲットドライブが、ディスク最内周位置から最外周位置まで適正に再生できるか、および、ボーダ・アウトを適正に認識し得るかを円滑に検証することができ、併せて、ターゲットドライブが、ＢＣＡ２２とシステムリードイン領域２３に保持されているデータを適正に再生し得るかを円滑に検証することができる。
【０１２９】
また、テストディスク３０を用いることにより、ターゲットドライブが、最新のＲＭＤを適正に認識できるか、また、ドライブテストゾーンが拡張されているかを適正に認識できるか、さらに、ＨＤＤＶＤが“追記可”になっていることを適正に認識できるかを円滑に検証することができる。
【０１３０】
このように、本実施の形態に係る検査方法によれば、ターゲットドライブが記録を適正に行えるか、ターゲットドライブが追記型ＨＤＤＶＤのファイナライズ形式を適正に認識できるか、追記可能なＨＤＤＶＤの認識を適正に行えるか、および、ターゲットドライブがディスク全周に渡って適正に再生を行えるかが検証され、さらに、追記型ＨＤＤＶＤにドライブテストゾーンが拡張されているか、および、ＨＤＤＶＤが追記可能な状態であるかを認識できるかが検証される。したがって、本実施の形態に係る検査方法にパスしたドライブは、ファイナライズされた追記型ＨＤＤＶＤに対しも、それが追記可である場合には適宜記録を行うことができ、また、追記型ＨＤＤＶＤのどの位置からも適正に情報を再生することができる。したがって、これらドライブ同士では、相互に互換性が保てるようになる。加えて、この検証は、上記実施の形態に示すディスク構造を採用することにより、わずか３枚のディスクを用いることのみで実現できることになり、コスト削減と検証時間短縮が可能となる。
【０１３１】
本発明は、上記実施の形態に限定されるものでないことは言うまでもない。本発明の実施の形態は、特許請求の範囲に示された技術的思想の範囲内において、適宜、種々の変更が可能である。
【図面の簡単な説明】
【０１３２】
【図１】実施の形態に係るＨＤＤＶＤの層構造を示す図
【図２】実施の形態に係るＨＤＤＶＤのエリア分割を示す図
【図３】実施の形態に係るテストディスク１０のデータフォーマットを示す図
【図４】実施の形態に係るテストディスク３０のデータフォーマットを示す図
【図５】実施の形態に係るテストディスク３０のデータフォーマットを示す図
【図６】実施の形態に係るターゲットドライブの検証方法を説明する図
【図７】実施の形態に係るターゲットドライブの検証方法を示すフロー図
【図８】実施の形態に係るターゲットドライブの検証方法を示すフロー図
【図９】実施の形態に係るターゲットドライブの検証方法を示すフロー図
【図１０】テストディスク３０のデータフォーマットの変更例を示す図
【図１１】テストディスク３０のデータフォーマットの他の変更例を示す図
【符号の説明】
【０１３３】
１０  テストディスク
３０  テストディスク
２２  ＢＣＡ
２３  システムリードイン領域２３
２４  データ領域
【図１】
0004688644.tif 000002
【図２】
0004688644.tif 000003
【図３】
0004688644.tif 000004
【図４】
0004688644.tif 000005
【図５】
0004688644.tif 000006
【図６】
0004688644.tif 000007
【図７】
0004688644.tif 000008
【図８】
0004688644.tif 000009
【図９】
0004688644.tif 000010
【図１０】
0004688644.tif 000011
【図１１】
0004688644.tif 000012